(57)【要約】【課題】使い勝手の向上を図る。【解決手段】  撮像素子と、前記撮像素子が内部に配置された外筐とを備え、前記外筐の外周面に前記被写体の撮影を行う撮影釦が配置され、前記外筐の上下方向における中央を含む水平面と前記外筐の前記外周面との交線を水平線としたときに、前記撮影釦が前記水平線の上側において前記水平線の近傍に位置され、撮影倍率を変更するズーム摘子が左右方向において前記撮影釦と同じ側に位置された。これにより、水平線の上側において水平線の近傍に位置された撮影釦が操作されて被写体の撮影が行われると共に撮影釦とズーム摘子を同じ手の指によって同時に又は各別に操作することが可能になり、撮影釦とズーム摘子に対する良好な操作性が確保され、撮像装置の使い勝手の向上を図ることができる。【選択図】図８
2015215423.tif 000002
【特許請求の範囲】
【請求項１】
撮像素子と、
前記撮像素子が内部に配置された外筐とを備え、
前記外筐の外周面に被写体の撮影を行う撮影釦が配置され、
前記外筐の上下方向における中央を含む水平面と前記外筐の前記外周面との交線を水平線としたときに、前記撮影釦が前記水平線の上側において前記水平線の近傍に位置され、
撮影倍率を変更するズーム摘子が左右方向において前記撮影釦と同じ側に位置された
撮像装置。
【請求項２】
前記外筐には前記撮像素子に入射される光の光軸方向において離隔され又は連続された大径部と前記大径部より外径が小さい小径部とが設けられ、
前記大径部が前記小径部より前記被写体側に設けられた
請求項１に記載の撮像装置。
【請求項３】
前記小径部に電源のオンオフを行う電源釦が配置された
請求項２に記載の撮像装置。
【請求項４】
前記大径部と前記小径部の間に前記大径部から前記小径部に近付くに従って径が小さくなるように傾斜された傾斜部が設けられ、
前記電源釦が前記小径部における前記傾斜部側の端部に配置された
請求項３に記載の撮像装置。
【請求項５】
補助光を出射するフラッシュを有し前記外筐の内部に収容される収容位置と前記外筐の外部に突出される突出位置との間で移動されるフラッシュユニットが設けられ、
前記小径部に前記フラッシュユニットを前記収容位置から前記突出位置に移動させるポップアップ釦が配置された
請求項２に記載の撮像装置。
【請求項６】
前記大径部と前記小径部の間に前記大径部から前記小径部に近付くに従って径が小さくなるように傾斜された傾斜部が設けられ、
前記ポップアップ釦が前記小径部における前記傾斜部側の端部に配置された
請求項５に記載の撮像装置。
【請求項７】
前記フラッシュが前記大径部に収容され、
前記大径部が前記小径部より前記被写体側に設けられた
請求項５に記載の撮像装置。
【請求項８】
前記外筐の内部にバッテリーが収納されるバッテリー収納部が設けられ、
前記外筐に前記バッテリー収納部を開閉するバッテリー蓋が支持され、
前記バッテリー収納部に操作釦が配置された
請求項１に記載の撮像装置。
【請求項９】
前記操作釦として他の機器との間での通信状態を切り替える通信切替釦が設けられた
請求項８に記載の撮像装置。
【請求項１０】
前記大径部にマイクロフォンが配置された
請求項２に記載の撮像装置。
【請求項１１】
前記外筐に前記大径部及び前記小径部を有する筒状筐体部と前記筒状筐体部に対して光軸方向に直交する方向において外側に突出された転がり防止部とが設けられ、
前記転がり防止部が前記筒状筐体部の下面側に設けられ、
前記撮影釦が前記転がり防止部の上側に位置された
請求項２に記載の撮像装置。
【請求項１２】
前記転がり防止部が左右に離隔して二つ設けられた
請求項１１に記載の撮像装置。
【請求項１３】
前記二つの転がり防止部として第１の転がり防止部と前記第１の転がり防止部より外形状が大きくされた第２の転がり防止部とが設けられ、
前記撮影釦が前記第２の転がり防止部より前記第１の転がり防止部に近い位置に設けられた
請求項１２に記載の撮像装置。
【請求項１４】
前記大径部に発光されることにより表示機能が発揮される発光表示部が配置された
請求項２に記載の撮像装置。
【請求項１５】
撮影レンズを有する交換レンズが着脱可能とされた
請求項１に記載の撮像装置。
【請求項１６】
撮影レンズを有する交換レンズが一体に設けられた
請求項１に記載の撮像装置。
【請求項１７】
撮影レンズを有し外周面に撮影倍率を変更するズーム摘子が配置された交換レンズと、
撮像素子と前記撮像素子が内部に配置された外筐とを備えた装置本体とを備え、
前記外筐の外周面に被写体の撮影を行う撮影釦が配置され、
前記外筐の上下方向における中央を含む水平面と前記外筐の前記外周面との交線を水平線としたときに、前記撮影釦が前記水平線の上側において前記水平線の近傍に位置され、
前記ズーム摘子が左右方向において前記撮影釦と同じ側に位置された
撮像装置。
【請求項１８】
前記交換レンズが前記装置本体に着脱可能とされた
請求項１７に記載の撮像装置。
【請求項１９】
前記交換レンズと前記装置本体が一体に設けられた
請求項１７に記載の撮像装置。
【請求項２０】
前記交換レンズにズーム摘子が配置され、
前記ズーム摘子が上下方向に移動されて操作される
請求項１７に記載の撮像装置。
【発明の詳細な説明】
【技術分野】
【０００１】
本技術は、撮像素子が内部に配置された外筐の外周面に撮影釦が配置された撮像装置についての技術分野に関する。
【先行技術文献】
【特許文献】
【０００２】
【特許文献１】特開２０１３−９２５５６号公報
【背景技術】
【０００３】
異なる機能を有する機器の間で一方の機器が他方の機器に対して着脱可能とされるものがある。このような一方の機器が他方の機器に対して着脱可能とされるものとして、例えば、ズーム機能を有する交換レンズと撮像機能を有する装置本体とがある。
【０００４】
また、異なる機能を有する機器の間で一方の機器が他方の機器に対してアダプターを介して着脱可能とされるものもあり、このような例としては、交換レンズがアダプターを介して装置本体に着脱可能とされるものがある（例えば、特許文献１参照）。
【０００５】
特許文献１には、アダプターの装置本体に対する取付の方式として、アダプターの全体を装置本体に対して回転させアダプターの係合部を装置本体の係合部に係合する方式が記載されている。
【０００６】
一方、近年、無線ＬＡＮ（Local Area Network）等の通信技術の発達により、例えば、撮像装置により取得される画像を表示装置の表示パネル（ディスプレイ）に表示するような開発が進展している。
【発明の概要】
【発明が解決しようとする課題】
【０００７】
ところで、このような表示装置と連携して撮像動作が可能な撮像装置については、使用時における良好な操作性が確保され使い勝手の向上が図られることが望ましい。
【０００８】
そこで、本技術撮像装置は、使い勝手の向上を図ることを目的とする。
【課題を解決するための手段】
【０００９】
第１に、本技術に係る撮像装置は、撮像素子と、前記撮像素子が内部に配置された外筐とを備え、前記外筐の外周面に被写体の撮影を行う撮影釦が配置され、前記外筐の上下方向における中央を含む水平面と前記外筐の前記外周面との交線を水平線としたときに、前記撮影釦が前記水平線の上側において前記水平線の近傍に位置され、撮影倍率を変更するズーム摘子が左右方向において前記撮影釦と同じ側に位置されたものである。
【００１０】
これにより、水平線の上側において水平線の近傍に位置された撮影釦が操作されて被写体の撮影が行われる。
【００１１】
第２に、上記した本技術に係る撮像装置においては、前記外筐には前記撮像素子に入射される光の光軸方向において離隔され又は連続された大径部と前記大径部より外径が小さい小径部とが設けられ、前記大径部が前記小径部より前記被写体側に設けられることが望ましい。
【００１２】
これにより、外筐における被写体側の径が大きくなり、ユーザーが撮像装置を把持し易い。
【００１３】
第３に、上記した本技術に係る撮像装置においては、前記小径部に電源のオンオフを行う電源釦が配置されることが望ましい。
【００１４】
これにより、電源釦が誤って操作され難い。
【００１５】
第４に、上記した本技術に係る撮像装置においては、前記大径部と前記小径部の間に前記大径部から前記小径部に近付くに従って径が小さくなるように傾斜された傾斜部が設けられ、前記電源釦が前記小径部における前記傾斜部側の端部に配置されることが望ましい。
【００１６】
これにより、指を傾斜部に宛い傾斜部から小径部に指を滑らせて電源釦を操作することが可能になる。
【００１７】
第５に、上記した本技術に係る撮像装置においては、補助光を出射するフラッシュを有し前記外筐の内部に収容される収容位置と前記外筐の外部に突出される突出位置との間で移動されるフラッシュユニットが設けられ、前記小径部に前記フラッシュユニットを前記収容位置から前記突出位置に移動させるポップアップ釦が配置されることが望ましい。
【００１８】
これにより、ポップアップ釦が誤って操作され難い。
【００１９】
第６に、上記した本技術に係る撮像装置においては、前記大径部と前記小径部の間に前記大径部から前記小径部に近付くに従って径が小さくなるように傾斜された傾斜部が設けられ、前記ポップアップ釦が前記小径部における前記傾斜部側の端部に配置されることが望ましい。
【００２０】
これにより、指を傾斜部に宛い傾斜部から小径部に指を滑らせてポップアップ釦を操作することが可能になる。
【００２１】
第７に、上記した本技術に係る撮像装置においては、前記フラッシュが前記大径部に収容され、前記大径部が前記小径部より前記被写体側に設けられることが望ましい。
【００２２】
これにより、フラッシュから出射される補助光が大径部に到達し難い。
【００２３】
第８に、上記した本技術に係る撮像装置においては、前記外筐の内部にバッテリーが収納されるバッテリー収納部が設けられ、前記外筐に前記バッテリー収納部を開閉するバッテリー蓋が支持され、前記バッテリー収納部に操作釦が配置されることが望ましい。
【００２４】
これにより、バッテリー蓋の閉塞時に操作釦の操作が不能になる。
【００２５】
第９に、上記した本技術に係る撮像装置においては、前記操作釦として他の機器との間での通信状態を切り替える通信切替釦が設けられることが望ましい。
【００２６】
これにより、使用頻度の少ない操作釦がバッテリー収納部に配置される。
【００２７】
第１０に、上記した本技術に係る撮像装置においては、前記大径部にマイクロフォンが配置されることが望ましい。
【００２８】
これにより、マイクロフォンが撮像装置の最外周に位置され、外部の音声が遮断され難い。
【００２９】
第１１に、上記した本技術に係る撮像装置においては、前記外筐に前記大径部及び前記小径部を有する筒状筐体部と前記筒状筐体部に対して光軸方向に直交する方向において外側に突出された転がり防止部とが設けられ、前記転がり防止部が前記筒状筐体部の下面側に設けられ、前記撮影釦が前記転がり防止部の上側に位置されることが望ましい。
【００３０】
これにより、撮影時に転がり防止部を把持した手によって撮影釦の操作を行って撮影を行うことが可能になる。
【００３１】
第１２に、上記した本技術に係る撮像装置においては、前記転がり防止部が左右に離隔して二つ設けられることが望ましい。
【００３２】
これにより、第１の転がり防止部又は第２の転がり防止部の何れを把持しても撮影を行うことが可能になる。
【００３３】
第１３に、上記した本技術に係る撮像装置においては、前記二つの転がり防止部として第１の転がり防止部と前記第１の転がり防止部より外形状が大きくされた第２の転がり防止部とが設けられ、前記撮影釦が前記第２の転がり防止部より前記第１の転がり防止部に近い位置に設けられることが望ましい。
【００３４】
これにより、第１の転がり防止部によって操作釦を操作するための指の動きが妨げられ難い。
【００３５】
第１４に、上記した本技術に係る撮像装置においては、前記大径部に発光されることにより表示機能が発揮される発光表示部が配置されることが望ましい。
【００３６】
これにより、発光表示部から出射された光が遮蔽されない。
【００３７】
第１５に、上記した本技術に係る撮像装置においては、撮影レンズを有する交換レンズが着脱可能とされることが望ましい。
【００３８】
これにより、交換レンズを取り付けることにより撮影倍率を変更することが可能になる。
【００３９】
第１６に、上記した本技術に係る撮像装置においては、撮影レンズを有する交換レンズが一体に設けられることが望ましい。
【００４０】
これにより、交換レンズの着脱が不要になる。
【００４１】
第１７に、別の本技術に係る撮像装置は、撮影レンズを有し外周面に撮影倍率を変更するズーム摘子が配置された交換レンズと、撮像素子と前記撮像素子が内部に配置された外筐とを備えた装置本体とを備え、前記外筐の外周面に被写体の撮影を行う撮影釦が配置され、前記外筐の上下方向における中央を含む水平面と前記外筐の前記外周面との交線を水平線としたときに、前記撮影釦が前記水平線の上側において前記水平線の近傍に位置され、前記ズーム摘子が左右方向において前記撮影釦と同じ側に位置されたものである。
【００４２】
これにより、水平線の上側において水平線の近傍に位置された撮影釦が操作されて被写体の撮影が行われる。
【００４３】
第１８に、上記した本技術に係る撮像装置においては、前記交換レンズが前記装置本体に着脱可能とされることが望ましい。
【００４４】
これにより、交換レンズを取り付けることにより撮影倍率を変更することが可能になる。
【００４５】
第１９に、上記した本技術に係る撮像装置においては、前記交換レンズと前記装置本体が一体に設けられることが望ましい。
【００４６】
これにより、交換レンズの着脱が不要になる。
【００４７】
第２０に、上記した本技術に係る撮像装置においては、前記交換レンズにズーム摘子が配置され、前記ズーム摘子が上下方向に移動されて操作されることが望ましい。
【００４８】
これにより、撮像装置を把持した状態において指を上下方向に動かし易いため、ズーム摘子の操作される方向と指の動かし易い方向とが一致される。
【発明の効果】
【００４９】
本技術によれば、水平線の上側において水平線の近傍に位置された撮影釦が操作されて被写体の撮影が行われると共に撮影釦とズーム摘子を同じ手の指によって同時に又は各別に操作することが可能になり、撮影釦とズーム摘子に対する良好な操作性が確保され、撮像装置の使い勝手の向上を図ることができる。
【００５０】
尚、本明細書に記載された効果はあくまでも例示であって限定されるものではなく、他の効果があってもよい。
【図面の簡単な説明】
【００５１】
【図１】図２乃至図２２と共に本技術撮像装置の実施の形態を示すものであり、本図は、交換レンズが結合された撮像装置がアダプターを介して表示装置に取り付けられた状態を示す斜視図である。
【図２】交換レンズが結合された撮像装置がアダプターを介して表示装置に取り付けられた状態を図１とは別の方向から見た状態で示す斜視図である。
【図３】交換レンズが結合された撮像装置の斜視図である。
【図４】交換レンズが結合された撮像装置の正面図である。
【図５】交換レンズが結合された撮像装置の背面図である。
【図６】交換レンズが結合された撮像装置の平面図である。
【図７】交換レンズが結合された撮像装置の底面図である。
【図８】交換レンズが結合された撮像装置の一方の側面図である。
【図９】交換レンズが結合された撮像装置の他方の側面図である。
【図１０】交換レンズと撮像装置の分解斜視図である。
【図１１】バッテリー蓋が開放された状態で示す撮像装置の斜視図である。
【図１２】フラッシュユニットが突出位置に移動された状態で示す撮像装置の斜視図である。
【図１３】フラッシュユニットが突出位置に移動された状態で示す撮像装置の側面図である。
【図１４】電源釦が操作されている状態を示す側面図である。
【図１５】表示装置が斜め上方側から撮像装置のＮＦＣ通信部に近付けられた状態を示す斜視図である。
【図１６】内筒部が前方へ繰り出された状態を示す撮像装置の拡大斜視図である。
【図１７】撮像装置の使用態様の一例を示す斜視図である。
【図１８】撮像装置の使用態様の別の一例を示す斜視図である。
【図１９】撮像装置の使用態様のまた別の一例を示す側面図である。
【図２０】撮像装置のブロック図である。
【図２１】交換レンズと装置本体によって構成された撮像装置を示す斜視図である。
【図２２】交換レンズと装置本体が一体に形成された撮像装置を示す斜視図である。
【発明を実施するための形態】
【００５２】
以下に、本技術を実施するための形態を添付図面に従って説明する。
【００５３】
以下の説明にあっては、撮像装置の撮影時において撮影者から見た方向で前後上下左右の方向を示すものとする。従って、被写体側が前方となり、撮影者側が後方となる。尚、以下に示す前後上下左右の方向は説明の便宜上のものであり、本技術の実施に関しては、これらの方向に限定されることはない。
【００５４】
［撮像装置、アダプター及び表示装置の関係］
先ず、撮像装置１とともに使用される場合があるアダプター２及び表示装置３の関係について概略を説明する（図１及び図２参照）。
【００５５】
撮像装置１の後面にはアダプター２が着脱可能とされている。アダプター２は表示装置３に着脱可能とされている。
【００５６】
アダプター２はベース体４の内外に所要の各部が配置されて成る。ベース体４は外形状が円形状に形成され前後方向の厚みが薄い扁平な形状に形成されている。ベース体４には図示しない一対の収納凹部が中央部を挟んで反対側に形成されている。ベース体４の前面側には図示しない一対の結合穴が周方向に離隔して形成されている。ベース体４の前面側には前方に開口された図示しない被ロック穴が形成されている。
【００５７】
アダプター２にはベース体４に対して回動可能な一対の被取付体５、５が設けられている。被取付体５、５はベース体４の中央部を挟んで反対側の位置において回動可能とされ、ベース体４の収納凹部にそれぞれ収納される収納位置と収納凹部から引き出される引出位置との間で回動される。
【００５８】
被取付体５、５は一方が他方に対して離接する方向（上下方向）へ移動可能とされ、図示しないバネによって一方が他方に近付く方向へ付勢されている。
【００５９】
被取付体５、５は引出位置に回動された状態において、上下から挟むようにして表示装置３に取り付けられる。このとき被取付体５、５は一方が他方に近付く方向へ付勢されているため、表示装置３を上下から挟み込み、アダプター２の表示装置３に対する安定した取付状態が確保される。
【００６０】
表示装置３は、例えば、携帯電話である。但し、表示装置３は携帯電話に限られることはなく、表示機能を有していれば他の装置、例えば、携帯端末やテレビジョンシステム等であってもよい。
【００６１】
表示装置３は筐体６の内外に所要の各部が配置されて成る。筐体６は、例えば、略長方形のケース状に形成され、一方の面（後面）に表示パネル７が設けられている。表示パネル７はタッチパネルとされ表示パネル７の所定の各位置を接触操作することにより所定の機能が実行される。
【００６２】
［撮像装置の構成］
次に、撮像装置１の構成について説明する（図３乃至図１５参照）。
【００６３】
撮像装置１は外筐８の内外に所要の各部が配置されて成る。外筐８は筒状筐体部９と第１の転がり防止部１０と第２の転がり防止部１１を有している。
【００６４】
筒状筐体部９は前後に貫通する略円筒状に形成された筒状部１２と筒状部１２の前端部から内方へ張り出された張出部１３と筒状部１２を後方から閉塞する後面部１４とを有している。筒状部１２は光軸方向である前後方向に直交する断面の外形状が略円形状に形成されている。
【００６５】
筒状部１２は、前側に位置された大径部１２ａと、大径部１２ａの後側に位置された小径部１２ｂと、大径部１２ａと小径部１２ｂの間に位置された傾斜部１２ｃとを有している。大径部１２ａは小径部１２ｂより前後の幅が大きくされ、小径部１２ｂは大径部１２ａより径が小さくされている。傾斜部１２ｃは前端が大径部１２ａの後端に一致され後端が小径部１２ｂの前端に一致され、大径部１２ａから小径部１２ｂに近付くに従って径が小さくなるように傾斜されている。
【００６６】
尚、撮像装置１においては、傾斜部１２ｃが設けられておらず大径部１２ａと小径部１２ｂが連続して設けられていてもよい。
【００６７】
張出部１３は円環状に形成されている。張出部１３の内側には円環状のマウント部１５が設けられている。マウント部１５は張出部１３より前方に突出され、内周側に係合突部１５ａ、１５ａ、１５ａを有している（図１０参照）。係合突部１５ａ、１５ａ、１５ａは周方向に離隔して設けられている。
【００６８】
マウント部１５の前面には前方に開口されたロック穴１５ｂ、１５ｂが周方向に離隔して形成されている。マウント部１５の外周部にはロック解除釦１５ｃが設けられている。
【００６９】
筒状筐体部９の内部における前端寄りの位置には、矩形状の光透過孔９ａが形成されている。筒状筐体部９の内部には光透過孔９ａの後側に撮像素子１６が配置されている。撮像装置１においては後述するレンズ群を介して取り込まれた光が撮像素子１６において光電変換される。
【００７０】
第１の転がり防止部１０は筒状部１２の下面側の左方に寄った位置において外側に突出されて設けられている（図３乃至図５参照）。第１の転がり防止部１０は外面が前面１０ａ、後面１０ｂ、側面１０ｃ、連続面１０ｄ及び底面１０ｅによって構成されている。連続面１０ｄは側面１０ｃと底面１０ｅの間において両者に連続する面であり、斜め下方に凸の曲面状に形成されている。
【００７１】
第１の転がり防止部１０は撮像装置１が机やテーブル等の載置面に載置されたときの撮像装置１の転がりを防止する機能を有し、第１の転がり防止部１０によって撮像装置１の落下等による破損や故障を防止することができる。特に、撮像装置１は筒状部１２の外面が円周面状にされており、第１の転がり防止部１０は落下等による破損や故障を防止する上で有用な構造である。
【００７２】
第１の転がり防止部１０にはカバー体１７が配置されている（図３及び図８参照）。カバー体１７は側面１０ｃに位置されている。撮像装置１にはカバー体１７の内側に図示しないＵＳＢ（Universal Serial Bus）等の外部接続端子及びメモリーカードスロットが設けられている。従って、カバー体１７を開放することにより、外部機器との接続及びメモリーカードの装着を行うことができる。また、外部機器との接続やメモリーカードの装着により、撮像装置１によって撮影した画像や映像の外部機器又はメモリーカードへの記録を行うことができる。
【００７３】
第２の転がり防止部１１は筒状部１２の下面側の右方に寄った位置において外側に突出されて設けられている（図４及び図５参照）。第２の転がり防止部１１は外面が前面１１ａ、後面１１ｂ、側面１１ｃ、連続面１１ｄ及び底面１１ｅによって構成されている。連続面１１ｄは側面１１ｃと底面１１ｅの間において両者に連続する面であり、斜め下方に凸の曲面状に形成されている。
【００７４】
第２の転がり防止部１１は撮像装置１が机やテーブル等の載置面に載置されたときの撮像装置１の転がりを防止する機能を有し、第２の転がり防止部１１によって撮像装置１の落下等による破損や故障を防止することができる。特に、撮像装置１は筒状部１２の外面が円周面状にされており、第２の転がり防止部１１は落下等による破損や故障を防止する上で有用な構造である。
【００７５】
第２の転がり防止部１１は第１の転がり防止部１０より外形状が大きくされている。従って、第１の転がり防止部１０は第２の転がり防止部１１より小さくされている。
【００７６】
上記したように、撮像装置１には左右に離隔して位置された第１の転がり防止部１０と第２の転がり防止部１１が設けられており、第１の転がり防止部１０又は第２の転がり防止部１１の何れを把持しても撮影を行うことが可能である。従って、第１の転がり防止部１０と第２の転がり防止部１１によって撮像装置１の左右両方向への転がりを防止することができると共に撮影時に第１の転がり防止部１０又は第２の転がり防止部１１の何れを把持しても撮像装置１の安定した把持状態が確保され使い勝手の向上を図ることができる。
【００７７】
第１の転がり防止部１１にはカバー体１７が配置されている（図３及び図８参照）。カバー体１７は側面１１ｃに位置されている。撮像装置１にはカバー体１７の内側に図示しないＵＳＢ（Universal Serial Bus）等の外部接続端子及びメモリーカードスロットが設けられている。従って、カバー体１７を開放することにより、外部機器との接続及びメモリーカードの装着を行うことができる。また、外部機器との接続やメモリーカードの装着により、撮像装置１によって撮影した画像や映像の外部機器又はメモリーカードへの記録を行うことができる。
【００７８】
筒状筐体部９の後面部１４における外周部には後方へ突出された結合突部１８、１８が周方向に離隔して設けられている（図５参照）。
【００７９】
後面部１４における結合突部１８の近傍にはロックピン１９が前後方向へ移動自在に支持されている。ロックピン１９は図示しないバネによって後方へ付勢されている。
【００８０】
筒状部１２の小径部１２ｂにはロック解除レバー２０が配置されている（図５及び図９参照）。ロック解除レバー２０が操作されることによりロックピン１９が筒状筐体部９の内部に引き込まれる。
【００８１】
撮像装置１は結合突部１８、１８がそれぞれアダプター２の結合穴に挿入されて結合される。結合突部１８、１８がそれぞれアダプター２の結合穴に挿入されて結合され、アダプター２が撮像装置１に対してベース体４の周方向において所定の位置まで回転されると、ロックピン１９がバネによる付勢力によって後方へ移動されてアダプター２の被ロック穴に挿入され、アダプター２が撮像装置１にロックされた状態で取り付けられる。
【００８２】
一方、ロック解除レバー２０が操作されると、ロックピン１９が付勢力に反して前方へ移動されて被ロック穴から引き出され、アダプター２に対するロックピン１９によるロックが解除される。アダプター２が撮像装置１に対してベース体４の周方向において所定の位置まで回転されることにより、結合突部１８、１８をアダプター２の結合穴から引き出すことが可能になり、アダプター２を撮像装置１から取り外すことができる。
【００８３】
筒状筐体部９の後面部１４における結合突部１８、１８間の部分にはバッテリー蓋２１が配置されている（図５参照）。撮像装置１にはバッテリー蓋２１の内側にバッテリー収納部２２が設けられている（図１１参照）。バッテリー蓋２１を開閉することによりバッテリー収納部２２に対するバッテリー２３の装着及び取出を行うことが可能とされている。
【００８４】
バッテリー収納部２２の後面には操作釦として、例えば、通信切替釦２４が配置されている。
【００８５】
このようにバッテリー収納部２２に通信切替釦２４が配置されていることにより、バッテリー蓋２１の閉塞時には通信切替釦２４の操作が不能であり、通信切替釦２４の誤操作を防止することができる。
【００８６】
撮像装置１においては、無線通信（ＷＩＦＩ：Wireless Fidelity）が可能とされており、無線通信モードとしては、他の１台の機器との間での通信が可能とされるモノ通信モードと他の複数台の機器との間での通信が可能とされるマルチ通信モードとがあり、何れかのモードを選択して設定することが可能とされている。
【００８７】
通信切替釦２４は上記した通信モードの切替を行うための釦であり、通信切替釦２４を操作する度にモノ通信モードとマルチ通信モードと通信オフモードの切替が行われる。このように通信切替釦２４は無線通信のモードを切り替えるための釦であるため、使用頻度の少ない釦である。
【００８８】
従って、バッテリー蓋２１が開放されたときにのみ使用可能とされる操作釦として使用頻度の少ない通信切替釦２４を設けることにより、使用頻度の少ない通信切替釦２４の非使用時における誤操作を防止することができる。
【００８９】
筒状部１２の大径部１２ａにおける上端部にはマイクロフォン２５、２５が左右に離隔して配置されている（図３及び図６参照）。マイクロフォン２５、２５は外部の音声を入力するための部分である。筒状部１２の大径部１２ａは外筐８を構成する部分であり、撮像装置１の最外周に位置されているため、大径部１２ａにマイクロフォン２５、２５を配置することにより外部の音声が遮断され難く、入力される音声の音質の向上を図ることができる。
【００９０】
筒状部１２の大径部１２ａにおける左側部にはシャッターとして機能する撮影釦２６が配置され、撮影釦２６は第１の転がり防止部１０の上側に位置されている（図３及び図８参照）。撮影釦２６が操作されることにより被写体の撮影が行われる。
【００９１】
撮像装置１において、図４及び図８に示すように、外筐８の上下方向における中央Ｍを含む水平面Ｈと外筐８の外周面との交線を水平線Ｈａとしたときに、撮影釦２６が水平線Ｈａの上側において水平線Ｈａの近傍に位置されている。
【００９２】
第１の転がり防止部１０は、後述するように、撮影時に把持される部分であり、上記のように、撮影釦２６が第１の転がり防止部１０の上側に位置されることにより、撮影時に第１の転がり防止部１０を把持した手によって撮影釦２６の操作を行って撮影を行うことが可能になり、撮影釦２６に対する操作を行い易く撮像装置１の使い勝手の向上を図ることができる。
【００９３】
また、撮影釦２６は第１の転がり防止部１０と第２の転がり防止部１１のうち外形状が小さくされた第１の転がり防止部１０に近い位置に設けられているため、第１の転がり防止部１０によって指の動きが妨げられ難く、撮影釦２６に対する良好な操作性を確保することができる。
【００９４】
尚、撮影釦２６については、例えば、半押しでオートフォーカスが行われ、全押しで撮影が行われる機能が付加されていてもよい。例えば、撮像装置１は表示装置３に取り付けられない状態で使用される場合もあるが、撮像装置１には画像が表示される部分が存在しないためフォーカス操作が難しい。従って、撮影釦２６の半押しによりオートフォーカスが行われるようにすれば、ユーザーにとって直感的にわかり易い操作を提供することができる。
【００９５】
また、撮像装置１に音声出力部が設けられ、オートフォーカス動作時に音声出力部から電子音等が出力されるようにすることにより、ユーザーにおいて操作を行ったことが認識され、操作の確実性を図ることができる。
【００９６】
さらに、撮影釦２６が大径部１２ａにおける左側部に配置されることにより、撮影釦２６が大径部１２ａの上端部に設けられたマイクロフォン２５、２５と離隔して位置される。従って、ユーザーが撮影釦２６を操作したときの音がマイクロフォン２５、２５に入力され難くなり、音質の低下を抑制することができる。
【００９７】
筒状部１２の大径部１２ａにおける上端部にはフラッシュユニット２７が配置されている（図１２及び図１３参照）。フラッシュユニット２７は光出射部として機能するフラッシュ２７ａとフラッシュ２７ａを上方から覆うカバー部２７ｂとフラッシュ２７ａを支持するアーム部２７ｃ、２７ｃとを有し、フラッシュ２７ａから夜間撮影時等に使用する補助光が出射される。カバー部２７ｂはフラッシュ２７ａの上面に結合され、フラッシュ２７ａはアーム部２７ｃ、２７ｃの一端部に回動自在に支持され、アーム部２７ｃ、２７ｃは他端部が筒状筐体部９の内部に設けられた図示しない支持部に回動自在に支持されている。
【００９８】
フラッシュユニット２７は、アーム部２７ｃ、２７ｃがフラッシュ２７ａと支持部に対して回動されることにより、フラッシュ２７ａとアーム部２７ｃ、２７ｃがユニット収容凹部１２ｄに収容される収容位置とユニット収容凹部１２ｄから上方に突出される突出位置との間で移動可能とされる。フラッシュユニット２７は図示しない付勢バネによって収容位置から突出位置に移動する方向へ付勢されている。
【００９９】
フラッシュ２７ａとアーム部２７ｃ、２７ｃが収容位置にある状態においては、カバー部２７ｂによってユニット収容凹部１２ｄが閉塞されている。このとき筒状部１２の内部に設けられた図示しないロック機構によってフラッシュユニット２７がロックされ、フラッシュ２７ａとアーム部２７ｃ、２７ｃのユニット収容凹部１２ｄからの突出位置への意図しない飛び出しが規制されている。
【０１００】
上記したように、フラッシュユニット２７は大径部１２ａに形成されたユニット収容凹部１２ｄに収容可能とされ、大径部１２ａが小径部１２ｂより被写体側である前方に設けられている。従って、突出位置に移動されたフラッシュ２７ａから出射される補助光が大径部１２ａに到達し難く、補助光の大径部１２ａでの遮蔽や反射を防止することができる。
【０１０１】
筒状部１２の小径部１２ｂにおける上端部には撮像装置１における電源のオンオフを行う電源釦２８が配置されている（図３及び図６参照）。電源釦２８は表面が小径部１２ｂの前端部において小径部１２ｂの外周より外側に突出しないように配置されている。電源釦２８が小径部１２ｂの外周より外側に突出しないことにより、電源釦２８の誤操作が防止される。
【０１０２】
また、電源釦２８は大径部１２ａより径が小さくされた小径部１２ｂに配置されているため、誤って操作され難く、電源釦２８に対する誤操作を防止することができる。特に、撮像装置１は携帯用の装置であり、例えば、鞄等に収容して持ち運ぶ際に、大径部１２ａは鞄等の一部や鞄等の内部に収容されている他の収容物に接触し易いが、小径部１２ｂは鞄等の一部や鞄等の内部に収容されている他の収容物に接触し難く、意図せず電源釦２８が操作され難く、電源釦２８に対する誤操作を防止することができる。
【０１０３】
さらに、電源釦２８は小径部１２ｂの前端部である傾斜部１２ｃ側の端部に配置されているため、図１４に示すように、右手１００の人差し指１０１又は中指１０２を傾斜部１２ｃに宛い傾斜部１２ｃから小径部１２ｂに人差し指１０１又は中指１０２を滑らせて電源釦２８を操作することが可能になり、電源釦２８に対する操作性の向上を図ることができる。
【０１０４】
筒状部１２の小径部１２ｂにおける上端寄りの部分にはフラッシュユニット２７を収容位置から突出位置に移動させるポップアップ釦２９が配置されている（図３及び図６参照）。ポップアップ釦２９は表面が小径部１２ｂの前端部において小径部１２ｂの外周より外側に突出しないように配置されている。ポップアップ釦２９が小径部１２ｂの外周より外側に突出しないことにより、ポップアップ釦２９の誤操作が防止される。
【０１０５】
ポップアップ釦２９は電源釦２８に近い位置において電源釦２８に対して周方向に離隔して配置されている。
【０１０６】
ポップアップ釦２９は大径部１２ａより径が小さくされた小径部１２ｂに配置されているため、誤って操作され難く、ポップアップ釦２９に対する誤操作を防止することができる。特に、撮像装置１は携帯用の装置であり、例えば、鞄等に収容して持ち運ぶ際に、大径部１２ａは鞄等の一部や鞄等の内部に収容されている他の収容物に接触し易いが、小径部１２ｂは鞄等の一部や鞄等の内部に収容されている他の収容物に接触し難く、意図せずポップアップ釦２９が操作され難く、ポップアップ釦２９に対する誤操作を防止することができる。
【０１０７】
また、ポップアップ釦２９は小径部１２ｂの前端部である傾斜部１２ｃ側の端部に配置されているため、図１４に示すように、例えば、右手１００の人差し指１０１又は中指１０２を傾斜部１２ｃに宛い傾斜部１２ｃから小径部１２ｂに人差し指１０１又は中指１０２を滑らせてポップアップ釦２９を操作することが可能になり、ポップアップ釦２９に対する操作性の向上を図ることができる。
【０１０８】
さらに、電源釦２８と撮影釦２６が撮像装置１の周方向において上部と側部で離隔して位置されているため、電源のオンオフ操作と撮影操作との間での誤操作が生じ難くされている。
【０１０９】
同様に、ポップアップ釦２９と撮影釦２６が撮像装置１の周方向において上部と側部で離隔して位置されているため、フラッシュユニット２７の突出位置への移動操作と撮影操作との間での誤操作が生じ難くされている。
【０１１０】
筒状部１２の大径部１２ａにおける下端部には三脚用穴３０が形成されている（図７参照）。三脚用穴３０は撮影時等に図示しない三脚に撮像装置１を結合するための穴である。
【０１１１】
筒状部１２の小径部１２ｂにおける右端部には液晶パネル等の表示部３１が配置されている。表示部３１にはバッテリー２３の残量やメモリーカードのメモリーカードスロットへの挿入の有無等が表示される。また、通信切替釦２４に対する操作によってモノ通信モード又はマルチ通信モードが設定されたときには、これらの各表示が表示部３１に表示され、通信オフモードが設定されたときには表示部３１に表示されていたモノ通信モード又はマルチ通信モードが非表示にされる。
【０１１２】
表示部３１が配置されていることにより、撮像装置１の外部からバッテリー２３の残量やメモリーカードのメモリーカードスロットへの挿入の有無や通信モードの設定状態等を確認することが可能であり、撮像装置１の使い勝手の向上を図ることができる。
【０１１３】
筒状部１２の大径部１２ａにおける上端部には、発光されることにより表示機能が発揮される発光表示部３２が配置されている。発光表示部３２は大径部１２ａの後端部に配置され、フラッシュユニット２７におけるカバー部２７ｂの後側に位置されている。発光表示部３２は、例えば、電源釦２８の操作により撮像装置１がオンにされている状態や撮影が行われているときにそれぞれ所定の色で発光される。
【０１１４】
発光表示部３２は撮像装置１の最外周である大径部１２ａに配置されているため、発光表示部３２から出射された光が遮蔽されず、発光表示部３２の良好な表示機能を確保することができる。
【０１１５】
撮像装置１には無線通信機能が設けられている。無線通信を使用することにより、例えば、撮像装置１によって撮影した画像や映像の表示装置３への表示や保存、表示装置３に対する操作による撮像装置１の撮影機能の実行、表示装置３に対する操作による撮像装置１のズーム機能の実行等の各種の操作を行うことが可能とされている。
【０１１６】
具体的には、例えば、筒状部１２における大径部１２ａの上端寄りの位置における内側にＮＦＣ（Near Field Communication）通信が行われるＮＦＣ通信部（ＮＦＣタグ）３３が搭載されている。撮像装置１はＮＦＣ通信部３３と表示装置３に搭載された図示しないＮＦＣ通信部との間で非接触通信が行われる。ＮＦＣ通信部３３はフラッシュユニット２７の近傍においてフラッシュユニット２７の右側に位置されている。
【０１１７】
非接触通信が行われるときには、表示装置３を撮像装置１のＮＦＣ通信部３３に近付けて上方側から位置させる（図１５参照）。このとき、ユーザーは右手１００によって表示装置３を把持し右斜め上方側から表示装置３を撮像装置１に対向させるようにしてＮＦＣ通信部３３に近付けて位置させる。
【０１１８】
従って、上記したように、ＮＦＣ通信部３３が大径部１２ａの上端寄りの位置においてフラッシュユニット２７の右側に位置されていることにより、非接触通信を容易かつ確実に実行させることができる。
【０１１９】
また、ＮＦＣ通信部３３を筒状部１２の内側における上方側に配置することにより、三脚用穴３０に三脚を取り付けて撮像装置１を使用する場合に、ＮＦＣ通信部３３に表示装置３を近付け易くなり、非接触通信に有利となる。
【０１２０】
さらに、撮像装置１は机やテーブル等の載置面に載置された状態で使用される場合もあるが、このような使用状態においては、通常、ユーザーが表示装置３を上方側から撮像装置１に近付ける。従って、ＮＦＣ通信部３３を筒状部１２の内部における上方側に配置することにより、このような使用状態においても近距離無線通信に適した配置となる。
【０１２１】
尚、ＮＦＣ通信部３３の配置位置は筒状部１２の内部における上方側以外であってもよいが、ＮＦＣ通信部３３は筒状筐体部９の後面部１４に近い位置には配置しないことが望ましい。後面部１４側に近距離無線通信が行われるＮＦＣ通信部３３を配置すると、図１及び図２に示すように、撮像装置１をアダプター２によって表示装置３に取り付けて使用する際に、撮像装置１のＮＦＣ通信部３３が表示装置３のＮＦＣ通信部と常時接近した状態となり、常時ポーリングを行ってしまう場合があるためである。
【０１２２】
撮像装置１には撮像画像の送信等のために、例えば、図示しないＷＩＦＩ（Wireless Fidelity）通信部が設けられ、表示装置３に搭載されたＷＩＦＩ通信部との間で無線通信が行われる。
【０１２３】
撮像装置１は電源釦２８に対する操作によって電源オンとされる以外に、表示装置３側からのＮＦＣ通信によって電源オンにされてもよい。例えば、ＮＦＣ通信が確立されたときに撮像装置１が電源オンにされる。また、撮像装置１において、筒状部１２の上端部等の電源釦２８の近傍にＮＦＣ通信機能の表示が行われるようにすることにより、ユーザーが電源オンの操作が行われたか否かを確認し易く、撮像装置１の使い勝手の向上を図ることができる。
【０１２４】
［交換レンズの構成］
次に、撮像装置１に着脱可能とされた交換レンズ３４の構成について説明する（図３乃至図１０参照）。
【０１２５】
交換レンズ３４は外筒部３５の内外に所要の各部が配置されて成る。外筒部３５は略円筒状に形成され、外径が撮像装置１における大径部１２ａの外径より一回り小さくされている。外筒部３５には後端部に図示しない複数の係合部と後方に突出されたロックピンとがそれぞれ周方向に離隔して設けられている。
【０１２６】
交換レンズ３４は、例えば、バヨネット方式によって撮像装置１に着脱可能とされ、係合部がそれぞれマウント部１５に設けられた係合突部１５ａ、１５ａ、１５ａ間に挿入され、所定の角度回転されることにより係合部がそれぞれ係合突部１５ａ、１５ａ、１５ａに係合されて撮像装置１に結合される。
【０１２７】
交換レンズ３４が撮像装置１に結合された状態においては、ロックピンがそれぞれマウント部１５のロック穴１５ｂ、１５ｂに挿入されて交換レンズ３４が撮像装置１にロックされる。
【０１２８】
撮像装置１のマウント部１５に設けられたロック解除釦１５ｃを操作すると、ロック穴１５ｂ、１５ｂからそれぞれロックピンが引き出されて交換レンズ３４の撮像装置１に対するロックが解除される。従って、交換レンズ３４の撮像装置１に対するロックが解除された状態において、交換レンズ３４を撮像装置１に対する結合時と逆方向へ回転することにより交換レンズ３４の撮像装置１に対する結合が解除される。
【０１２９】
外筒部３５の左側部から下面に亘る位置には変倍を行うためのズーム摘子３６が配置されている（図３及び図８参照）。ズーム摘子３６が操作されることにより望遠と広角の間でのズームが行われる。
【０１３０】
ズーム摘子３６は、例えば、上下方向（周方向）へ移動されることにより操作される。このようにズーム摘子３６が所定の方向へ移動操作されることによりズーミングが行われるため、良好な操作性が確保され、撮像装置１の使い勝手の向上を図ることができる。
【０１３１】
尚、ズーム摘子３６は左右方向や斜め方向へ移動されて操作されるように構成されていてもよい。
【０１３２】
交換レンズ３４が撮像装置１に結合された状態においては、交換レンズ３４のズーム摘子３６と撮像装置１の撮影釦２６とが前後方向において近接して位置される。ズーム摘子３６と撮影釦２６が近接して位置されることにより、ユーザーにおいてズーミング操作により画角調整を行った後に撮影操作を行うという一連の撮影動作が行い易く、撮像装置１の使い勝手の向上を図ることができる。
【０１３３】
また、上記したように、撮影釦２６が水平線Ｈａの上側において水平線Ｈａの近傍に位置され、ズーム摘子３６が左右方向において撮影釦２６と同じ側、即ち、左側に位置されている。
【０１３４】
外筒部３５の内側には前後方向において移動可能とされた内筒部３７が支持されている（図３及び図１１参照）。撮像装置１は、内筒部３７が外筒部３５に対して前方へ繰り出されて撮影状態（図１６参照）とされ、前方へ繰り出されていた内筒部３７が後方へ繰り込まれて外筒部３５の内部に収納されることにより沈胴状態（図３参照）とされる。
【０１３５】
外筒部３５の前端部には操作リング３８が回転自在に支持されている。操作リング３８が回転されることによりフォーカシングやズーミング（マニュアルズーミング）を行うことができる。操作リング３８の外周面には複数の凹凸部が形成され、操作時における指の滑りが防止され、操作性の向上が図られている。
【０１３６】
内筒部３７の前端部には撮影レンズ３９が取り付けられている。内筒部３７の内側には前後方向（光軸方向）において並び最も前側に位置された撮影レンズ３９を含む複数のレンズ群が配置され、レンズ群を介して取り込まれた光が撮像素子１６において光電変換される。
【０１３７】
上記したように、撮像装置１には撮影レンズ３９を有する交換レンズ３４が着脱可能とされているため、交換レンズ３４を取り付けることにより撮影倍率を変更することが可能になり、撮像装置１の機能性の向上を図ることができる。
【０１３８】
［撮像装置の使用態様］
次に、撮像装置１の使用態様について説明する（図１７乃至図１９参照）。
【０１３９】
上記したように、表示装置３には撮像装置１に取り付けられたアダプター２が取り付けられ、撮像装置１がアダプター２を介して表示装置３に取り付けられる。このように撮像装置１がアダプター２を介して表示装置３に取り付けられた状態において、撮像装置１を用いて撮影等を行うことが可能である。
【０１４０】
このとき撮影者は、例えば、右手１００で表示装置３を把持し、左手２００で撮像装置１を把持する（図１７参照）。撮像装置１は左手２００によって、例えば、下方側から持ち上げられるようにして把持され、掌２００ａが筒状筐体部９の下面から左側面に亘る位置に宛われ、親指２０２が第１の転がり防止部１０の側面１０ｃに宛われ、人差し指２０１及び中指２０３が筒状部１２の下面から右側面に亘る位置に宛われる。
【０１４１】
撮像装置１にあっては、第１の転がり防止部１０が設けられているため、掌２００ａが第１の転がり防止部１０に宛われ、撮像装置１に対する良好な把持性を確保することができる。
【０１４２】
撮像装置１には、上記したように、第１の転がり防止部１０の上側に撮影釦２６が配置され、ズーム摘子３６と撮影釦２６が前後方向において近接して位置されるため、撮像装置１を左手２００によって把持したときに、ズーム摘子３６と撮影釦２６に左手２００の親指２０２が自然な状態で宛われる。
【０１４３】
従って、撮像装置１を把持したときに筒状筐体部９から突出された第１の転がり防止部１０に指が自然な状態で宛われ、撮像装置１に対する良好な把持性を確保した上でズーム摘子３６と撮影釦２６に対する良好な操作性を確保することができる。
【０１４４】
また、第１の転がり防止部１０の上側に撮影釦２６が配置されているため、筒状筐体部９から突出された第１の転がり防止部１０に宛われた指を左右に動かして撮影釦２６を押し易く、撮影釦２６に対する高い操作性を確保することができる。
【０１４５】
さらに、撮影釦２６の近傍にズーム摘子３６が位置されているため、筒状筐体部９から突出された第１の転がり防止部１０に宛われた指を動かしてズーム摘子３６を操作し易く、ズーム摘子３６に対する高い操作性を確保することができる。
【０１４６】
さらにまた、ズーム摘子３６は上下方向へ移動されて操作されるが、第１の転がり防止部１０に宛われた状態において指を上下方向に動かし易いため、ズーム摘子３６が上下方向へ移動されて操作される構成にされていることにより、ズーム摘子３６に対する一層高い操作性を確保することができる。
【０１４７】
上記には、撮像装置１がアダプター２を介して表示装置３に取り付けられた状態において使用される態様を例として示したが、撮像装置１は表示装置３に取り付けられない状態で使用することも可能である（図１８参照）。この場合には、表示装置３に搭載されたＮＦＣ通信部を撮像装置１に設けられたＮＦＣ通信部３３に近付けて撮像装置１によって取得された画像が表示装置３の表示パネル７に表示される設定を行い、表示パネル７に表示される画像を確認しながら表示パネル７（タッチパネル）の所定の操作部を操作することにより撮像装置１によって取得された画像や映像の撮影を行うことが可能である。
【０１４８】
このとき表示装置３を把持していない方の手、例えば、左手２００によって撮像装置１を把持して所望の画像を取得してもよく、撮像装置１を据え置き状態にして画像を取得してもよい。このような据え置き状態での使用態様においては、撮像装置１の机やテーブル等の載置面に対する転がりが第１の転がり防止部１０と第２の転がり防止部１１によって防止され、撮像装置１の安定した載置状態が確保され、取得する画像の画質の向上を図ることができる。
【０１４９】
また、撮像装置１がアダプター２を介して表示装置３に取り付けられた状態において、机やテーブル等の載置面３００に載置された据え置き状態で撮影等を行うことも可能である（図１９参照）。このような据え置き状態での使用態様においては、撮像装置１と表示装置３が前後方向において離隔した位置で載置面３００に載置され、表示装置３に取り付けられたアダプター２の被取付体５が載置面３００に載置されるため、撮像装置１の安定した載置状態が確保され、取得する画像の画質の向上を図ることができる。
【０１５０】
尚、撮像装置１の携帯状態（把持状態）及び据え置き状態での画像や映像の撮影操作は両者とも同様であり、撮像装置１と表示装置３が無線により通信され、撮像装置１によって取得された画像や映像が表示装置３の表示パネル７に表示される。撮影者は表示パネル７に表示される画面を確認し、撮像装置１の撮影釦２６を操作又はタッチパネルとされた表示パネル７の所定の操作部を操作することにより撮像装置１によって取得された画像や映像の撮影を行うことができる。
【０１５１】
［撮像装置の一実施形態］
以下に、本技術撮像装置の一実施形態によるブロック図を示す（図２０参照）。
【０１５２】
撮像装置１は、交換レンズ３４のレンズ群５１を介して取り込まれる光を光電変換する撮像素子５２と撮影された画像信号のアナログ−デジタル変換等の信号処理を行うカメラ信号処理部５３と画像信号の記録再生処理を行う画像処理部５４とを有している。また、撮像装置１は、メモリーカード４００への画像信号の書込及び読出を行うＲ／Ｗ（リーダ／ライタ）５５と撮像装置１の全体を制御するＣＰＵ（Central Processing Unit）５６とユーザーによって所要の操作が行われる各種のスイッチ等の入力操作部５７、５７、・・・（ズーム摘子３６、撮影釦２６等）と通信部５８を備えている。
【０１５３】
カメラ信号処理部５３は、撮像素子５２からの出力信号に対するデジタル信号への変換、ノイズ除去、画質補正、輝度・色差信号への変換等の各種の信号処理を行う。
【０１５４】
画像処理部５４は、所定の画像データフォーマットに基づく画像信号の圧縮符号化・伸張復号化処理や解像度等のデータ仕様の変換処理等を行う。
【０１５５】
Ｒ／Ｗ５５は、画像処理部５４によって符号化された画像データのメモリーカード４００への書込及びメモリーカード４００に記録された画像データの読出を行う。
【０１５６】
ＣＰＵ５６は、撮像装置１に設けられた各部を制御する制御処理部として機能し、入力操作部５７、５７、・・・からの指示入力信号等に基づいて各部を制御する。
【０１５７】
また、ＣＰＵ５６はＮＦＣ通信部３３やＷＩＦＩ通信部を有する通信部５８による無線通信によって表示装置３と各種のデータや制御情報の送受信が可能とされている。具体的には、撮像装置１と表示装置３の間でＮＦＣ通信等の非接触通信が行われると、撮像装置１では電源がオンとされ、表示装置３では撮像装置１を操作するためのアプリケーションが起動する。また、撮像装置１と表示装置３の間でＷＩＦＩ通信が可能な設定にされ、表示装置３と各種のデータや制御情報の送受信が可能とされる。
【０１５８】
入力操作部５７、５７、・・・は、ユーザーによる操作に応じた指示入力信号をＣＰＵ５６に対して出力する。
【０１５９】
メモリーカード４００は、例えば、Ｒ／Ｗ５５に接続されたメモリーカードスロットに対して着脱可能な半導体メモリーである。
【０１６０】
以下に、撮像装置１における動作を説明する。
【０１６１】
入力操作部５７、５７、・・・からの指示入力信号により撮影動作が行われると、撮影された画像信号がカメラ信号処理部５３から画像処理部５４に出力されて圧縮符号化処理され、所定のデータフォーマットのデジタルデータに変換される。変換されたデータはＲ／Ｗ５５に出力され、メモリーカード４００に書き込まれる。尚、変換されたデータは無線通信によって表示装置３に転送されて表示パネル７に出力され、又は、表示装置３の記録部に書き込まれてもよい。
【０１６２】
メモリーカード４００に記録された画像データを再生する場合には、入力操作部５７、５７、・・・に対する操作に応じて、Ｒ／Ｗ５５によってメモリーカード４００から所定の画像データが読み出され、画像処理部５４によって伸張復号化処理が行われた後に、再生画像信号が無線通信によって表示装置３に転送されて表示パネル７に出力されて再生画像が表示される。
【０１６３】
［まとめ］
以上に記載した通り、撮像装置１にあっては、撮像素子１６と、撮像素子１６が内部に配置された外筐８とを備え、外筐８には光軸方向に離隔され又は連続された大径部１２ａと大径部１２ａより外径が小さい小径部１２ｂとが設けられ、大径部１２ａの外周面に被写体の撮影を行う撮影釦２６が配置されている。
【０１６４】
従って、大径部１２ａに配置された撮影釦２６に対して操作が行われて被写体の撮影が行われるため、撮影釦２６に対する良好な操作性が確保され、撮像装置１の使い勝手の向上を図ることができる。
【０１６５】
また、大径部１２ａが小径部１２ｂより被写体側（前側）に設けられているため、外筐８における被写体側の径が大きくなり、ユーザーが撮像装置１を把持し易く、撮像装置１の使い勝手の向上を図ることができる。
【０１６６】
さらに、外筐８の上下方向における中央Ｍを含む水平面Ｈと外筐８の外周面との交線を水平線Ｈａとしたときに、撮影釦２６が水平線Ｈａの上側において水平線Ｈａの近傍に位置され、ズーム摘子３６が左右方向において撮影釦２６と同じ側に位置されている。
【０１６７】
従って、撮像装置１を把持した状態において、水平線Ｈの上側において水平線Ｈの近傍に位置された撮影釦２６が操作されて被写体の撮影が行われると共に撮影釦２６とズーム摘子３６を同じ手の指によって同時に又は各別に操作することが可能になり、撮影釦２６とズーム摘子３６に対する良好な操作性が確保され、撮像装置１の使い勝手の向上を図ることができる。
【０１６８】
［その他］
上記には、撮像装置１に交換レンズ３４が着脱可能とされた例を示したが、例えば、両者の全体が撮像装置１Ａとして構成されていてもよい（図２１参照）。この場合には撮像装置１に相当する部分が装置本体４０として構成され、撮像装置１Ａは装置本体４０と装置本体４０に着脱可能とされる交換レンズ３４とによって構成される。
【０１６９】
このような装置本体４０と交換レンズ３４によって構成される撮像装置１Ａにあっても、大径部１２ａに配置された撮影釦２６に対して操作が行われて被写体の撮影が行われるため、撮影釦２６に対する良好な操作性が確保され、使い勝手の向上を図ることができる。
【０１７０】
また、撮像装置１Ａには撮影レンズ３９を有する交換レンズ３４が装置本体４０に着脱可能とされているため、交換レンズ３４を取り付けることにより撮影倍率を変更することが可能になり、撮像装置１Ａの機能性の向上を図ることができる。
【０１７１】
さらに、撮像装置１Ａにあっては、把持した状態において指を上下方向に動かし易いため、交換レンズ３４にズーム摘子３６が配置されズーム摘子３６が上下方向に移動されて操作されることにより、ズーム摘子３６の操作される方向と指の動かし易い方向とが一致され、ズーム摘子３６に対する高い操作性を確保することができる。
【０１７２】
尚、撮像装置１Ａにおいては、装置本体４０と交換レンズ３４が一体に形成されていてもよい（図２２参照）。この場合には、マウント部１５に相当する部分を設ける必要がなく、その分、光軸方向における小型化を図ることができる。
【０１７３】
また、交換レンズ３４が一体に設けられた撮像装置１Ａにあっては、交換レンズ３４の着脱が不要であり使い勝手の向上を図ることができると共に一体に設けられた交換レンズ３４によって撮影倍率を変更することが可能になり機能性の向上を図ることができる。
【０１７４】
［本技術］
本技術は、以下のような構成にすることもできる。
【０１７５】
（１）
撮像素子と、
前記撮像素子が内部に配置された外筐とを備え、
前記外筐の外周面に被写体の撮影を行う撮影釦が配置され、
前記外筐の上下方向における中央を含む水平面と前記外筐の前記外周面との交線を水平線としたときに、前記撮影釦が前記水平線の上側において前記水平線の近傍に位置され、
撮影倍率を変更するズーム摘子が左右方向において前記撮影釦と同じ側に位置された
撮像装置。
【０１７６】
（２）
前記外筐には前記撮像素子に入射される光の光軸方向において離隔され又は連続された大径部と前記大径部より外径が小さい小径部とが設けられ、
前記大径部が前記小径部より前記被写体側に設けられた
前記（１）に記載の撮像装置。
【０１７７】
（３）
前記小径部に電源のオンオフを行う電源釦が配置された
前記（２）に記載の撮像装置。
【０１７８】
（４）
前記大径部と前記小径部の間に前記大径部から前記小径部に近付くに従って径が小さくなるように傾斜された傾斜部が設けられ、
前記電源釦が前記小径部における前記傾斜部側の端部に配置された
前記（３）に記載の撮像装置。
【０１７９】
（５）
補助光を出射するフラッシュを有し前記外筐の内部に収容される収容位置と前記外筐の外部に突出される突出位置との間で移動されるフラッシュユニットが設けられ、
前記小径部に前記フラッシュユニットを前記収容位置から前記突出位置に移動させるポップアップ釦が配置された
前記（２）から前記（４）の何れかに記載の撮像装置。
【０１８０】
（６）
前記大径部と前記小径部の間に前記大径部から前記小径部に近付くに従って径が小さくなるように傾斜された傾斜部が設けられ、
前記ポップアップ釦が前記小径部における前記傾斜部側の端部に配置された
前記（５）に記載の撮像装置。
【０１８１】
（７）
前記フラッシュが前記大径部に収容され、
前記大径部が前記小径部より前記被写体側に設けられた
前記（５）又は前記（６）に記載の撮像装置。
【０１８２】
（８）
前記外筐の内部にバッテリーが収納されるバッテリー収納部が設けられ、
前記外筐に前記バッテリー収納部を開閉するバッテリー蓋が支持され、
前記バッテリー収納部に操作釦が配置された
前記（１）から前記（７）の何れかに記載の撮像装置。
【０１８３】
（９）
前記操作釦として他の機器との間での通信状態を切り替える通信切替釦が設けられた
前記（８）に記載の撮像装置。
【０１８４】
（１０）
前記大径部にマイクロフォンが配置された
前記（２）から前記（７）の何れかに記載の撮像装置。
【０１８５】
（１１）
前記外筐に前記大径部及び前記小径部を有する筒状筐体部と前記筒状筐体部に対して光軸方向に直交する方向において外側に突出された転がり防止部とが設けられ、
前記転がり防止部が前記筒状筐体部の下面側に設けられ、
前記撮影釦が前記転がり防止部の上側に位置された
前記（２）から前記（７）又は前記（１０）の何れかに記載の撮像装置。
【０１８６】
（１２）
前記転がり防止部が左右に離隔して二つ設けられた
前記（１１）に記載の撮像装置。
【０１８７】
（１３）
前記二つの転がり防止部として第１の転がり防止部と前記第１の転がり防止部より外形状が大きくされた第２の転がり防止部とが設けられ、
前記撮影釦が前記第２の転がり防止部より前記第１の転がり防止部に近い位置に設けられた
前記（１２）に記載の撮像装置。
【０１８８】
（１４）
前記大径部に発光されることにより表示機能が発揮される発光表示部が配置された
前記（２）から前記（７）又は前記（１０）から前記（１３）の何れかに記載の撮像装置。
【０１８９】
（１５）
撮影レンズを有する交換レンズが着脱可能とされた
前記（１）から前記（１４）の何れかに記載の撮像装置。
【０１９０】
（１６）
撮影レンズを有する交換レンズが一体に設けられた
前記（１）から前記（１４）の何れかに記載の撮像装置。
【０１９１】
（１７）
撮影レンズを有し外周面に撮影倍率を変更するズーム摘子が配置された交換レンズと、
撮像素子と前記撮像素子が内部に配置された外筐とを備えた装置本体とを備え、
前記外筐の外周面に被写体の撮影を行う撮影釦が配置され、
前記外筐の上下方向における中央を含む水平面と前記外筐の前記外周面との交線を水平線としたときに、前記撮影釦が前記水平線の上側において前記水平線の近傍に位置され、
前記ズーム摘子が左右方向において前記撮影釦と同じ側に位置された
撮像装置。
【０１９２】
（１８）
前記交換レンズが前記装置本体に着脱可能とされた
前記（１７）に記載の撮像装置。
【０１９３】
（１９）
前記交換レンズと前記装置本体が一体に設けられた
前記（１７）に記載の撮像装置。
【０１９４】
（２０）
前記交換レンズにズーム摘子が配置され、
前記ズーム摘子が上下方向に移動されて操作される
前記（１８）又は前記（１９）に記載の撮像装置。
【符号の説明】
【０１９５】
１…撮像装置、８…外筐、９…筒状筐体部、１０…転がり防止部、１１…転がり防止部、１２ａ…大径部、１２ｂ…小径部、１２ｃ…傾斜部、１６…撮像素子、２２…バッテリー収納部、２３…バッテリー、２４…通信切替釦、２５…マイクロフォン、２６…撮影釦、２７…フラッシュユニット、２７ａ…フラッシュ、２８…電源釦、２９…ポップアップ釦、３２…発光表示部、３４…交換レンズ、３６…ズーム摘子、３９…撮影レンズ、１Ａ…撮像装置、４０…装置本体、１Ｂ…撮像装置、５２…撮像素子
【図１】
2015215423.tif 000003
【図２】
2015215423.tif 000004
【図３】
2015215423.tif 000005
【図４】
2015215423.tif 000006
【図５】
2015215423.tif 000007
【図６】
2015215423.tif 000008
【図７】
2015215423.tif 000009
【図８】
2015215423.tif 000010
【図９】
2015215423.tif 000011
【図１０】
2015215423.tif 000012
【図１１】
2015215423.tif 000013
【図１２】
2015215423.tif 000014
【図１３】
2015215423.tif 000015
【図１４】
2015215423.tif 000016
【図１５】
2015215423.tif 000017
【図１６】
2015215423.tif 000018
【図１７】
2015215423.tif 000019
【図１８】
2015215423.tif 000020
【図１９】
2015215423.tif 000021
【図２０】
2015215423.tif 000022
【図２１】
2015215423.tif 000023
【図２２】
2015215423.tif 000024